(57)【要約】【課題】映写環境に影響されず、鮮明な画像を得ることが可能となる投影用スクリーンおよびその製造方法を提供する。【解決手段】スクリーンの表面に偏光板１４が設けられる。投影光以外の余分な光が入射したときに、この余分な光のうち偏光板の偏光面と一致しない光の反射が抑制され、投影光以外の余分な光が画像に殆ど混入しなくなる。また、プロジェクタ装置のレーザ発振器から投影光として出射される各色のレーザ光の出力の強度を抑えても、鮮明な画像を得ることが可能になり、これにより省電力化を図ることが可能となる。【選択図】　　　　図１
2004144882.tif 000002
【特許請求の範囲】
【請求項１】
三原色の光を含む投影光により画像が投影される投影用スクリーンであって、
その表面に、所定の偏光面を有する偏光板を備えた
ことを特徴とする投影用スクリーン。
【請求項２】
前記偏光板の偏光面を前記表面に対して相対的に回転させることにより偏光面の向きを変更可能な回転機構を備えた
ことを特徴とする請求項１記載の投影用スクリーン。
【請求項３】
前記偏光板の表面に反射防止層を備えた
ことを特徴とする請求項１記載の投影用スクリーン。
【請求項４】
前記反射防止層は、高屈折率膜と、前記高屈折率膜より低い屈折率を有する低屈折率膜とが交互に積層された多層膜である
ことを特徴とする請求項３記載の投影用スクリーン。
【請求項５】
前記高屈折率膜は、Ｎｂ２　Ｏ５　、ＴｉＯ２　またはＴａ２　Ｏ５　からなる
ことを特徴とする請求項４記載の投影用スクリーン。
【請求項６】
前記低屈折率膜は、ＳｉＯ２　またはＭｇＦ２　からなる
ことを特徴とする請求項４記載の投影用スクリーン。
【請求項７】
前記反射防止層は、Ｎｂ２　Ｏ５　からなる第１高屈折率膜、ＳｉＯ２　からなる第１低屈折率膜、Ｎｂ２　Ｏ５　からなる第２高屈折率膜、およびＳｉＯ２　からなる第２低屈折率膜が順に積層された構成を有する
ことを特徴とする請求項３記載の投影用スクリーン。
【請求項８】
前記偏光板の前記反射防止層に接する面とは反対側の面に光拡散層が形成されると共に、前記光拡散層の前記偏光板に接する面とは反対側の面に三原色の光を反射する三原色光反射層が形成された
ことを特徴とする請求項１記載の投影用スクリーン。
【請求項９】
前記偏光板の前記反射防止層に接する面とは反対側の面に光拡散層が形成されると共に、前記光拡散層の前記偏光板に接する面とは反対側の面に三原色の光を透過する三原色光透過層が形成された
ことを特徴とする請求項１記載の投影用スクリーン。
【発明の詳細な説明】
【０００１】
【発明の属する技術分野】
本発明は、例えばプロジェクタ装置から入射される三原色の光を含む投影光を利用して画像が投影される投影用スクリーンに関する。
【０００２】
【従来の技術】
近年、会議等では発表者が資料を提示する手段としてオーバーヘッドプロジェクタやスライドプロジェクタが広く用いられ、一般家庭ではビデオプロジェクタや動画フィルムプロジェクタが普及しつつある。これらプロジェクタ装置では、光源から出力された光がライトバルブ（Ｌｉｇｈｔ　Ｖａｌｖｅ　）により空間的に変調されて画像光とされ、この画像光がレンズ等の照明光学系を通じて投影用スクリーン上に投影される。
【０００３】
この種のプロジェクタ装置にはカラー画像を表示させることができるものがあり、光源として光の三原色である赤色（Ｒｅｄ　＝Ｒ），緑色（Ｇｒｅｅｎ　＝Ｇ），青色（Ｂｌｕｅ＝Ｂ）を含んだ白色光を発するランプが用いられ、ライトバルブとしては透過型の液晶パネルが用いられている。このプロジェクタ装置では、光源から出射された白色光が、照明光学系によって赤色光、緑色光および青色光の各色の光線に分離され、これら光線が所定の光路に収束される。これらの光束が液晶パネルにより画像信号に応じて空間的に変調される。変調された光束が光合成部によってカラー画像光として合成され、この合成されたカラー画像光が投影レンズにより投影用スクリーンに拡大投射される。
【０００４】
また、最近、カラー画像を表示させることができるプロジェクタ装置として、光源に狭帯域三原色光源、例えば三原色の各色の狭帯域光を発するレーザ発振器を用い、ライトバルブに回折格子型のライトバルブ（ＧＬＶ：Ｇｒａｔｉｎｇ　Ｌｉｇｈｔ　Ｖａｌｖｅ　）を用いた装置が開発されている。このプロジェクタ装置では、レーザ発振器により出射された各色の光束が画像信号に応じてＧＬＶにより空間的に変調される。このように変調された光束は前述したプロジェクタ装置と同様に、光合成部によってカラー画像光として合成され、この合成されたカラー画像光が投影レンズにより投影用スクリーンに拡大投射される。
【０００５】
【発明が解決しようとする課題】
ところで、プロジェクタ装置に用いられる投影用スクリーンは、その裏面側から投影光を照射して表面側から見る透過方式と、表面側から投影光を照射しその反射した光を表面側から見る反射方式とに分けられる。これら方式の投影用スクリーンはその表面に拡散板を備えており、この拡散板によって投影光を散乱させることにより画像が形成され、広い視野角が得られている。
【０００６】
しかしながら、このような投影用スクリーンでは、投影光以外の余分な光、例えば照明器具の光や外光が表面側に入射したときに、表面に拡散板が設けられていることに起因して、これら余分な光が拡散板により反射され、画像に混入してしまうことから、コントラストが低下し、鮮明な画像を得ることができないという問題があった。
【０００７】
本発明はかかる問題点に鑑みてなされたもので、その目的は、投影光以外の余分な光が画像に混入することを防止することにより画像のコントラストを高めて、映写環境に影響されず、鮮明な画像を得ることが可能となる投影用スクリーンを提供することにある。
【０００８】
【課題を解決するための手段】
本発明による投影用スクリーンは、その表面に、所定の偏光面を有する偏光板を備えたものである。
【０００９】
本発明による投影用スクリーンでは、その表面に、所定の偏光面を有する偏光板を設けるようにしたので、投影光以外の余分な光が入射したときに、この余分な光のうち偏光板の偏光面と一致しない光の反射が抑制されることにより、投影光以外の余分な光の反射が減少し、余分な光の画像への混入が阻止される。
【００１０】
【発明の実施の形態】
以下、本発明の実施の形態について、図面を参照して詳細に説明する。
【００１１】
図１は、本発明の一実施の形態に係る投影用スクリーン１０の一部の断面構成を表すものである。この投影用スクリーン１０はいわゆる反射方式のスクリーンであり、黒色基板１１を備えている。黒色基板１１の上には、いわゆる帯域フィルタとしての機能を有する三原色光反射層１２が形成されている。この三原色光反射層１２の上には光拡散層１３が形成されている。この光拡散層１３の上には所定の偏光面を有する偏光板１４が形成されている。
【００１２】
黒色基板１１は、例えば黒色塗料等を含んだ高分子材料から構成されている。高分子材料としては、例えばポリカーボネイト（ＰＣ）、ポリエチレンテレフタレート（ＰＥＴ）、ポリエチレンナフタレート（ＰＥＮ）、ポリエーテルサルフォン（ＰＥＳ）、ポリオレフィン（ＰＯ）が挙げられる。この黒色基板１１は、三原色光反射層１２を透過した光を吸収する光吸収層としての機能を有しており、これによってスクリーンの黒レベルが高められ明暗のコントラストが向上する。
【００１３】
三原色光反射層１２は、例えば赤色、緑色および青色の各色の波長領域の光からなる三原色波長域光に対して高反射特性を有すると共に、この三原色波長域光の波長領域以外の少なくとも可視波長域の光に対して高透過特性を有する。具体的には、三原色光反射層１２は、波長が６４２ｎｍ程度である赤色光、波長が５３２ｎｍ程度である緑色光、および波長が４５７ｎｍ程度である青色光のそれぞれに対して高反射特性を有する（図２）。なお、三原色波長域光の各色光の波長は、本実施の形態に適用されるプロジェクタ装置２０（図３）の光源（レーザ発振器２１）から投影光として出射される各色のレーザ光の波長である。
【００１４】
この三原色光反射層１２は、例えば、高い屈折率を有する誘電体材料からなる高屈折率膜１２Ｈｐ　と、この高屈折率膜１２Ｈｐ　よりも低い屈折率を有する誘電体材料からなる低屈折率膜１２Ｌｐ　とが交互に積層された誘電体多層膜であり（但し、ｐは１〜ｍの正数）、この誘電体多層膜の各膜の厚さは例えば８０ｎｍ以上２００ｎｍ以下である。高屈折率膜１２Ｈｐ　の誘電体材料としては例えば五酸化ニオブ（Ｎｂ２　Ｏ５　）、二酸化チタン（ＴｉＯ２　）あるいは五酸化タンタル（Ｔａ２　Ｏ５　）、低屈折率膜１２Ｌｐ　の誘電体材料としては例えば二酸化シリコン（ＳｉＯ２　）あるいはフッ化マグネシウム（ＭｇＦ２　）が挙げられる。
【００１５】
光拡散層１３は、三原色光反射層１２で反射された三原色波長域光を散乱させるものであり、例えばマイクロレンズアレー（ＭＬＡ）が形成されたフィルムである。このような光拡散層１３によって、視野角が大きくなり良い視野特性が得られる。なお、光拡散層１３の材料として、上記フィルムに加えて、例えば直径が数μｍ〜数ｍｍ程度の球状の複数のビーズが等間隔に配列されたものや、所定の媒質中に例えば銀（Ａｇ）や銅（Ｃｕ）等の金属微粒子が分散されたものでもよい。上記ビーズは例えばガラスや高分子材料等の透明な材料からなる。
【００１６】
偏光板１４は所定の偏光面を有するものであり、この偏光板１４に光が入射した場合、偏光面に一致した光のみを透過し、それ以外の光を反射させる。このような偏光板１４に、様々な方向に偏った偏光成分を有する光（例えば照明器具の光や外光）が入射すると、これらの光のうち偏光面に一致しない光の反射が減少する。
【００１７】
次に、このような構成を有する投影用スクリーン１０の製造方法について説明する。まず、黒色塗料を含ませた高分子材料からなる黒色基板１１を用意する。次に、例えばスパッタリング法によって、基板１１の上に三原色光反射層１２を形成する。この三原色光反射層１２は誘電体多層膜とし、この誘電体多層膜を高屈折率膜１２Ｈｐ　と、この高屈折率膜１２Ｈｐ　より低い屈折率を有する低屈折率膜１２Ｌｐ　とを交互に積層したものとする。このような光学薄膜１２の各膜厚は、この光学薄膜１２が三原色波長域光に対して高反射特性を有すると共に、この三原色波長域光の波長領域以外の少なくとも可視波長域の光に対して高透過特性を有するように設計する。続いて、三原色光反射層１２の上に、ＭＬＡが形成されたフィルムを貼り合わせることにより光拡散層１３を形成する。最後に、光拡散層１３の上に、偏光板１４を貼り合わせることにより、図１に示した投影用スクリーン１０が完成する。
【００１８】
このような構成を有する投影用スクリーン１０は、例えばフロント式のプロジェクタ装置２０のスクリーンとして用いられる。図３は、このプロジェクタ装置２０の概略構成を表すものである。プロジェクタ装置２０は、光源として三原色の各色の波長領域からなる三原色狭帯域光を出射するレーザ発振器２１を備えている。レーザ発振器２１は、例えば波長が６４２ｎｍである赤色光を出射するレーザ発振器２１Ｒ、波長が５３２ｎｍである緑色光を出射するレーザ発振器２１Ｇ、波長が４５７ｎｍである青色光を出射するレーザ発振器２１Ｂから構成されている。
【００１９】
また、プロジェクタ装置２０は、レーザ発振器２１から出射された光を画像光として投影用スクリーン１０に導くための照明光学系として、コリメータレンズ２２、シリンドリカルレンズ２３、ＧＬＶ２４、体積型ホログラム素子２５、ガルバノミラー２６および投影レンズ２７を備えている。コリメータレンズ２２は、赤色光用のコリメータレンズ２２Ｒ、緑色光用のコリメータレンズ２２Ｇ、および、青色光用のコリメータレンズ２２Ｂから構成される。ＧＬＶ２４は、赤色光用のリボン列２４Ｒ、緑色光用のリボン列２４Ｇ、および青色光用のリボン列２４Ｂを備えている。体積型ホログラム素子２５は、第１体積型ホログラム素子２５ａおよび第２体積型ホログラム素子２５ｂから構成されている。
【００２０】
なお、プロジェクタ装置２０では、レーザ発振器２１Ｒから出射された赤色光、レーザ発振器２１Ｇから出射された緑色光、レーザ発振器２１Ｂから出射された青色光のそれぞれが、コリメータレンズ２２では各色用のコリメータレンズ２２Ｒ，２２Ｇ，２２Ｂに入射するように、ＧＬＶ２４では各色用のリボン列２４Ｒ，２４Ｇ，２４Ｂに入射するようにこれらの構成要素が配置されている。
【００２１】
このような構成を有するプロジェクタ装置２０では、レーザ発振器２１から出射された赤色光、緑色光および青色光の各光は、コリメータレンズ２２を透過することにより平行光となる。このコリメータレンズ２２により平行光となった三原色波長域光は、シリンドリカルレンズ２３の作用によりＧＬＶ２４に集光される。これら集光した三原色波長域光は、ＧＬＶ２４の各リボン列が画像信号に応じて独立に駆動されることによって空間的に変調される。
【００２２】
ＧＬＶ２４の作用により変調された三原色波長域光は、シリンドリカルレンズ２３の作用により体積型ホログラム素子２５に集光される。この体積型ホログラム素子２５では、第１体積型ホログラム素子２５ａにより赤色光が回折され、第２体積型ホログラム素子２５ｂにより青色光および赤色光が同じ方向に回折される。また、第１体積型ホログラム素子２５ａおよび第２体積型ホログラム素子２５ｂでは、緑色光が回折されずに直進して透過し、赤色光と同じ方向に出射される。このようにして体積型ホログラム素子２５の作用により、赤色光、緑色光および青色光の各色の光が合成されて、同じ方向に出射される。同じ方向に合波された三原色波長域光は、ガルバノミラー２６により所定の方向に走査され、投影レンズ２７を介して投影用スクリーン１０の表面に投射される。
【００２３】
投影用スクリーン１０では、例えば外光により映写環境が明るい場合、プロジェクタ装置２０から投射された三原色波長域光とともに外光が、スクリーンの表面に設けられた偏光板１４に入射する。この偏光板１４により、外光のうち偏光板１４の偏光面と一致しない光の反射が抑制されることにより、三原色波長域光以外の余分な光の反射が減少する。
【００２４】
このように偏光板１４を透過した三原色波長域光は、光拡散層１３を透過し、三原色光反射層１２に入射する。この三原色光反射層１２では、図２に示したような反射特性を有するので三原色波長域光のみが反射し、その他の光は黒色基板１１に吸収される。このように三原色光反射層１２で反射した三原色波長域光は光拡散層１３に再び入射する。この光拡散層１３では、三原色光反射層１２で反射された三原色波長域光が散乱され、スクリーンの表面に画像が形成される。このとき、上述したように偏光板１４によりスクリーンの表面に入射した外光の反射が抑制されていることから、スクリーンの表面に形成された画像には、外光が混入することが殆どなくなる。
【００２５】
このように本実施の形態では、スクリーンの表面に偏光板１４を設けるようにしたので、投影光以外の余分な光が入射したときに、この余分な光のうち偏光板１４の偏光面と一致しない光の反射が抑制されることにより、投影光以外の余分な光の反射が減少し、余分な光が画像に殆ど混入しなくなる。これにより画像のコントラストが高められ、映写環境に影響されず、鮮明な画像を得ることが可能となる。また、プロジェクタ装置２０のレーザ発振器２１から投影光として出射される各色のレーザ光の出力の強度を抑えても、鮮明な画像を得ることが可能になり、これにより省電力化を図ることが可能となる。
【００２６】
〔変形例１〕
上記実施の形態では偏光板１４を光拡散層１３の上に貼り合わせて固定するようにしたが、例えば図４および図５に示した投影用スクリーン３０のように、回転機構３３を有する円形状の円形偏光板３２を用い、この円形偏光板３２を上述の黒色基板１１、三原色光反射層１２および光拡散層１３からなるスクリーン部３１に対して回転可能となるようにしてもよい。具体的には、回転機構３３は、固定された円形状のアウターリング３４と、このアウターリング３４に対して相対的に回転可能なインナーリング３５と、このインナーリング３５を回転させるための回転つまみ３６により構成されている。
【００２７】
このような回転機構３３のインナーリング３５に円形偏光板３２が嵌合されており、これにより円形偏光板３２はインナーリング３５と共に回転することから、固定されたアウターリング３４に対して相対的に回転可能となっている。このアウターリング３４の底部に、光拡散層１３が円形偏光板３２と対向するようにして、４個の固定部３７によってスクリーン部３１が固定されている。これにより、インナーリング３５を円形偏光板３２と共に回転させることにより、円形偏光板３２の偏光面をスクリーン部３１に対して回転変位させることができる。ここで、例えば、暗室において照明器具の光をスクリーンの表面に照射し、スクリーンの黒レベルを測定した結果、本変形例のように円形偏光板３２を回転可能とした場合、上記実施の形態のように偏光板を固定した場合と比較して、スクリーン表面でその光の反射が１９％程度減少した。
【００２８】
このように本変形例では、回転機構３３を設けることにより、図６に示したように円形偏光板３２をスクリーン部３１に対して回転可能としたので、外光の入射角度を調整することにより、外光による反射光を最大限に低減させることが可能になる。
【００２９】
〔変形例２〕
また、例えば、図７に示したように、上記実施の形態の偏光板１４の上に反射防止層４１を形成するようにしてもよい。このような特性を有する反射防止層４１は、例えば、高い屈折率を有する無機材料からなる高屈折率膜４１Ｈｒ　と、この高屈折率膜４１Ｈｒ　よりも低い屈折率を有する無機材料からなる低屈折率膜４１Ｌｒ　とが交互に積層された多層膜により構成することができる（但し、ｒは１〜ｎの正数）。すなわち、高屈折率膜４１Ｈ１　，　低屈折率膜４１Ｌ１　，　高屈折率膜４１Ｈ２　，　低屈折率膜４１Ｌ２，・・・・，　高屈折率膜４１Ｈｎ　，　低屈折率膜４１Ｌｎ　が順次積層されたものである。高屈折率膜４１Ｈｒ　の無機材料としては例えば五酸化ニオブ（Ｎｂ２　Ｏ５　）、二酸化チタン（ＴｉＯ２　）あるいは五酸化タンタル（Ｔａ２　Ｏ５　）、低屈折率膜４１Ｌｒ　の無機材料としては例えば二酸化シリコン（ＳｉＯ２　）あるいはフッ化マグネシウム（ＭｇＦ２　）が挙げられる。
【００３０】
ここで、反射防止層４１の各膜厚は、その各膜の厚さをｄ、その各膜の屈折率をｎ、この光学多層膜に入射する入射光の波長をλとすると、各膜の光学的厚さｎｄが入射光の波長λに対して数１に示した式を満足するように設計されている。
【００３１】
【数１】
ｎｄ＝λ（α±１／４）（但し、αは自然数である）
【００３２】
例えば、高屈折率膜膜４１Ｈ１　にはＮｂ２　Ｏ５　、低屈折率膜４１Ｌ１　にはＳｉＯ２　、高屈折率膜４１Ｈ２　にはＮｂ２　Ｏ５　、低屈折率膜４１Ｌ２　にはＳｉＯ２　が用いられ、合計層数が計４層とされ、赤色光の波長が６４２ｎｍ、緑色光の波長が５３２ｎｍ、および青色光の波長が４５７ｎｍである三原色波長域光を含む、４５０ｎｍ以上６５０ｎｍ以下の範囲内の波長領域において、反射率が０．５％以下という低反射特性を有するように設計されている。このように設計したことにより、各層の厚さは、高屈折率膜膜４１Ｈ１　が１４ｎｍ、低屈折率膜４１Ｌ１　が２３ｎｍ、高屈折率膜４１Ｈが１２３ｎｍ、低屈折率膜４１Ｌ２　が９０ｎｍとなっている。
【００３３】
このように構成される反射防止層４１により、この反射防止層４１の表面に投影光以外の外光が入射したときに、更に外光の反射が抑制される。
【００３４】
以上、実施の形態を挙げて本発明を説明したが、本発明は上記実施の形態に限定されるものではなく、種々変形が可能である。例えば、上記実施の形態では、本発明を反射式の投影用スクリーン１０に適用するようにしたが、図８に示したような透過方式の投影用スクリーン５０に適用するようにしてもよい。すなわち、黒色基板１１の代わりに透明基板５１を用い、三原色光反射層１２の代わりに三原色光透過層５２を用いるようにする。この三原色光透過層５２は、例えば図９に示したように、三原色波長域光に対して高透過特性を有すると共に、この三原色波長域光の波長領域以外の少なくとも可視波長域の光に対して高反射特性を有する。具体的には、波長が６４２ｎｍ程度である赤色光、波長が５３２ｎｍ程度である緑色光、および波長が４５７ｎｍ程度である青色光のそれぞれに対して高透過特性を有する。このような構成を有する投影用スクリーン５０はリア式のプロジェクタ装置のスクリーンとして用いられる。
【００３５】
また、図１０に示した投影用スクリーン６０のように、透過方式の投影用スクリーンにおいても、偏光板１４の上に反射防止層４１を形成するようにしてもよい。
【００３６】
【発明の効果】
以上説明したように請求項１ないし請求項９に記載の投影用スクリーンによれば、その表面に、所定の偏光面を有する偏光板を設けるようにしたので、投影光以外の余分な光が入射したときに、この余分な光のうち偏光板の偏光面と一致しない光の反射が抑制され、その結果余分な光の反射が減少し、余分な光が画像に混入しなくなる。これにより画像のコントラストが高められ、映写環境に影響されず、鮮明な画像を得ることが可能となる。また、プロジェクタ装置のレーザ発振器から投影光として出射される各色のレーザ光の出力の強度を抑えても、鮮明な画像を得ることが可能になり、これにより省電力化を図ることが可能となる
【００３７】
特に、請求項２記載の投影用スクリーンによれば、偏光板を回転させるための回転機構を設けるようにしたので、この回転機構により偏光板の偏光面をスクリーン部に対して変更させることが可能となり、偏光板を回転させて外光の相対的な入射角度を調整することにより、外光による反射光を最大限に低減させることが可能になる。
【００３８】
また、請求項３記載の投影用スクリーンによれば、偏光板の表面に三原色の光以外の光に対する反射防止層を設けるようにしたので、投影光以外の余分な光が入射したときに、この反射防止層によって反射が更に抑制され、これにより余分な光が画像に混入しなくなる。従って、更に画像のコントラストが高められるので、映写環境に影響されず、鮮明な画像を得ることが可能となる。
【図面の簡単な説明】
【図１】本発明の一実施の形態に係る投影用スクリーンの概略構成図である。
【図２】図１に示した投影用スクリーンを構成する三原色反射層の反射特性を表すものである。
【図３】図１に示した投影用スクリーンを用いたプロジェクタ装置の概略構成図である。
【図４】投影用スクリーンの変形例の平面図である。
【図５】図４のＡ−Ａ線にそった断面構成図である。
【図６】投影用スクリーンの変形例の作用を説明するための図である。
【図７】投影用スクリーン変形例の概略構成図である。
【図８】投影用スクリーン変形例の概略構成図である。
【図９】図８に示した投影用スクリーンの変形例を構成する三原色反射層の反射特性を表すものである。
【図１０】投影用スクリーン変形例の概略構成図である。
【符号の説明】
１０，３０，　４０，　５０，　６０・・・　投影用スクリーン、１１・・・　黒色基板、１２・・・　三原色反射層、１３・・・光拡散層、１４・・・　偏光板、２０・・・　プロジェクタ装置、２１，２１Ｒ，２１Ｇ，２１Ｂ・・・　レーザ発振器、２２，２２Ｒ，２２Ｇ，２２Ｂ・・・　コリメータレンズ、２３・・・　シリンドリカルレンズ、２４・・・　ＧＬＶ、２４Ｒ，２４Ｇ，２４Ｂ・・・　リボン列、２５・・・　体積型ホログラム素子、２５ａ・・・　第１体積型ホログラム素子、２５ｂ・・・　第２体積型ホログラム素子、２６・・・　ガルバノミラー、２７・・・　投影レンズ、３１・・・　スクリーン部、３２・・・　円形偏光板、３３・・・　回転機構、３４・・・　アウターリング、３５・・・　インナーリング、３６・・・　回転つまみ、３７・・・　固定部、４１・・・　反射防止層、４１Ｈｒ　・・・　高屈折率膜、４１Ｌｒ　・・・　低屈折率膜、５１・・・　透明基板、５２・・・　三原色光透過層
【図１】
2004144882.tif 000003
【図２】
2004144882.tif 000004
【図３】
2004144882.tif 000005
【図４】
2004144882.tif 000006
【図５】
2004144882.tif 000007
【図６】
2004144882.tif 000008
【図７】
2004144882.tif 000009
【図８】
2004144882.tif 000010
【図９】
2004144882.tif 000011
【図１０】
2004144882.tif 000012